(57)【要約】【課題】簡素な構造でキャップを装着する非使用時の気密性を確保し得るスティック糊の容器を提供する。【解決手段】内部に糊３が充填される糊充填空間４１を有するとともに先端に前記糊３を外部に導出させるための円形状でない糊導出口４２を有した容器本体４と、この容器本体４の糊充填空間４１が外部に連通するのを気密に遮断する閉止状態及び糊３を外部に導出可能な開放状態の何れかを選択的にとり得る開閉機構５とを具備するスティック糊の容器２であって、前記開閉機構５が、容器本体４に連接して設けられ糊導出口４２よりも外側方に張り出す鍔状をなすキャップ取付体５１と、このキャップ取付体５１に外側から着脱可能に嵌合するキャップ５２とを備え、キャップ取付体５１の外側の円形状をなす嵌合部５１２にキャップ５２が嵌合するかまたはキャップ５２の内側の円形状をなす嵌合部５２３にキャップ取付体５１が嵌合するスティック糊の容器２を構成した。【選択図】図６
2020059179.tif 000002
【特許請求の範囲】
【請求項１】
内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、
前記開閉機構が、前記容器本体に連接して設けられ前記糊導出口よりも外側方に張り出す鍔状をなすキャップ取付体と、このキャップ取付体に外側から着脱可能に嵌合するキャップとを備え、キャップ取付体の外側の円形状をなす嵌合部にキャップが嵌合するかまたはキャップの内側の円形状をなす嵌合部にキャップ取付体が嵌合するスティック糊の容器。
【請求項２】
前記キャップ取付体の円形状をなす嵌合部が前記キャップの円筒状をなす内周面に密接する請求項１記載のスティック糊の容器。
【請求項３】
前記容器本体における前記キャップ取付体から先端とは反対側の基端方向に偏倚した箇所に、前記閉止状態にて前記キャップの周壁の端面に当接または極近接する当たり部が、キャップ取付体とは間隙を隔てて設けられている請求項１または２記載のスティック糊の容器。
【請求項４】
前記キャップの周壁が円筒状をなす一方、
前記容器本体における前記糊を塗布する操作を行う使用者の母指または示指の指先が触れ得る把持部分の外周が横断面視において非円形状をなし、
前記当たり部が、前記容器本体における前記把持部分から先端方向に偏倚した箇所にあって、把持部分の外周よりも外側方に張り出し、その先端方向を向く面が一周連続した円環状をなして前記キャップの周壁の端面に当接または極近接する請求項３記載のスティック糊の容器。
【請求項５】
前記キャップの周壁が円筒状をなす一方、
前記容器本体における前記糊を塗布する操作を行う使用者の母指または示指の指先が触れ得る把持部分の外周が横断面視において非円形状をなし、
前記当たり部が、前記容器本体における前記把持部分から先端方向に偏倚した箇所にあって、把持部分の隅角部と重なる部位にのみ断続的に設けられ、その先端方向を向く面が前記キャップの周壁の端面に当接または極近接する請求項３記載のスティック糊の容器。
【請求項６】
横断面視において前記把持部分の外側辺が前記糊導出口の内側辺と平行または略平行となっている請求項４または５記載のスティック糊の容器。
【請求項７】
前記キャップ取付体及び前記キャップがそれぞれ樹脂成形品である請求項１、２、３、４、５または６記載のスティック糊の容器。
【発明の詳細な説明】
【技術分野】
【０００１】
本発明は、内部に棒状の糊が充填されるスティック糊の容器に関する。
【背景技術】
【０００２】
紙等を貼着または接着するために用いられる固形の糊を細長い容器に収容し、これを少量ずつ繰り出すことのできるスティック糊が周知である。
【０００３】
従来のスティック糊は、容器の先端に開設された円形状の糊導出口から円柱状の糊が現れるものであった。そのようなスティック糊では、例えば、四角形状の用紙の周囲に糊を塗布しようとするときに、当該用紙の縁や角の部分に糊をはみ出さないよう綺麗に塗ることが容易でない。それ故、容器の先端に開設された四角形状の糊導出口から四角柱状の糊が現れる態様のスティック糊が開発されるようになった。
【０００４】
一方、四角柱形のスティック糊において、非使用時に装着するキャップ及び当該キャップが外嵌されるキャップ取付筒がそれぞれ角形筒状をなしていると、キャップ及びキャップ取付筒が円筒状をなす従前のスティック糊と比較して気密性が低下する不利が生ずる。角形筒状をなすキャップとキャップ取付筒とは、その隅角部では互いに密着してしっかりと嵌合されていても、それ以外の側辺部では密着しにくく、全体として高い気密性を保つことが難しい。そして、非使用時の気密性が損なわれると、容器内の糊が早期に劣化して使用可能期間が短くなったり、キャップの内周またはキャップ取付筒の外周に乾燥した糊が固着してキャップの着脱に支障を来したりする等の問題を招来する。
【０００５】
そこで、容器の先端の糊導出口を非円形の角形状に成形しつつ、容器の先端に向かって開放した隙間を介して糊導出口よりも径が拡大した円筒状のキャップ取付筒を外側に形成することにより、円筒状をなすキャップをそのキャップ取付筒に嵌合できる構造とすることが考案された（以上、下記特許文献１を参照）。
【先行技術文献】
【特許文献】
【０００６】
【特許文献１】特許第５９２８６６３号公報
【発明の概要】
【発明が解決しようとする課題】
【０００７】
本発明は、簡素な構造でキャップを装着する非使用時の気密性を確保し得るスティック糊の容器を提供することを所期の目的とする。
【課題を解決するための手段】
【０００８】
本発明では、内部に糊が充填される糊充填空間を有するとともに先端に前記糊を外部に導出させるための円形状でない糊導出口を有した容器本体と、この容器本体の糊充填空間が外部に連通するのを気密に遮断する閉止状態及び前記糊を外部に導出可能な開放状態の何れかを選択的にとり得る開閉機構とを具備するスティック糊の容器であって、前記開閉機構が、前記容器本体に連接して設けられ前記糊導出口よりも外側方に張り出す鍔状をなすキャップ取付体と、このキャップ取付体に外側から着脱可能に嵌合するキャップとを備え、キャップ取付体の外側の円形状をなす嵌合部にキャップが嵌合する、及び／または、キャップの内側の円形状をなす嵌合部にキャップ取付体が嵌合するスティック糊の容器を構成した。ここで、「円形状」とは、中心からの距離が一定の真円のみならず、例えば真円に近い楕円等、中心からの距離が完全に一定ではない誤差を含んだ形状をも包含する概念である。
【０００９】
スティック糊の非使用時にキャップを容器本体に装着した閉止状態での気密性をより一層高めるためには、前記キャップ取付体の円形状をなす嵌合部が前記キャップの円筒状をなす内周面に密接する構造とすることが好ましい。
【００１０】
また、前記容器本体における前記キャップ取付体から先端とは反対側の基端方向に偏倚した箇所に、前記閉止状態にて前記キャップの周壁の端面に当接または極近接する当たり部が、キャップ取付体とは間隙を隔てて設けられることも好ましい。
【００１１】
前記キャップの周壁が円筒状をなす一方、前記容器本体における前記糊を塗布する操作を行う使用者の母指または示指の指先が触れ得る把持部分の外周が横断面視において非円形状をなしている場合、前記当たり部を、前記容器本体における前記把持部分から先端方向に偏倚した箇所にあって、把持部分の外周よりも外側方に張り出し、その先端方向を向く面が一周連続した円環状をなして前記キャップの周壁の端面に当接または極近接するものとすることができる。
【００１２】
あるいは、前記当たり部を、前記容器本体における前記把持部分から先端方向に偏倚した箇所にあって、把持部分の隅角部と重なる部位にのみ断続的に設けられ、その先端方向を向く面が前記キャップの周壁の端面に当接または極近接するものとしても構わない。
【００１３】
そして、横断面視において前記把持部分の外側辺が前記糊導出口の内側辺と平行または略平行となっているならば、使用者が容器本体を把持して糊を塗布する際の作業性が向上する。
【００１４】
前記キャップ取付体及び前記キャップは、例えば樹脂成形品とする。
【発明の効果】
【００１５】
本発明によれば、簡素な構造でキャップを装着する非使用時の気密性を確保し得るスティック糊の容器を実現できる。
【図面の簡単な説明】
【００１６】
【図１】本発明の一実施形態のスティック糊及びその容器の斜視図。
【図２】同実施形態のスティック糊及びその容器の要部を拡大して示す斜視図。
【図３】同実施形態のスティック糊の容器を破断し要部を拡大して示す斜視図。
【図４】同実施形態のスティック糊の容器を破断して示す斜視図。
【図５】同実施形態のスティック糊の容器の分解斜視図。
【図６】同実施形態のスティック糊の容器の要部を拡大して示す縦断面図。
【図７】同実施形態のスティック糊の容器のＡ−Ａ線端面図。
【図８】同実施形態のスティック糊の容器のＢ−Ｂ線端面図。
【図９】本発明の変形例の一に係るスティック糊及びその容器の斜視図。
【図１０】同変形例のスティック糊及びその容器の要部を拡大して示す斜視図。
【図１１】同変形例のスティック糊の容器を破断し要部を拡大して示す斜視図。
【図１２】同変形例のスティック糊の容器を破断して示す斜視図。
【図１３】同変形例のスティック糊の容器の要部を拡大して示す縦断面図。
【発明を実施するための形態】
【００１７】
本発明の一実施形態を、図面を参照して説明する。図１ないし図８に、本実施形態のスティック糊１及びその容器２を示す。スティック糊１は、容器２内に固形の棒状の糊３を充填または収容してなり、その糊３を容器２の糊導出口から少量ずつ繰り出して使用することのできるものである。本実施形態のスティック糊１の容器２は、内部に糊３が充填される糊充填空間４１を有するとともに先端（または、前端、頂端、上端）に糊３を外部に導出させるための真円でない糊導出口４２を有した容器本体４と、この容器本体４の糊充填空間４１が外部に連通するのを気密に遮断する閉止状態及び糊３を外部に導出可能な開放状態を選択的にとり得る開閉機構５と、糊３を糊導出口４２から漸次導出させるための糊押出機構６とを具備する。
【００１８】
図３ないし図８に示すように、容器本体４は、糊充填空間４１を内包しかつ糊充填空間４１を外部に連通させる糊導出口４２を先端に開設した管状体である糊充填部４３と、この糊充填部４３の外側を取り巻き使用者が把持するための把持部分４４１を有したボディ４４とを備える。本実施形態では、糊充填部４３とボディ４４とを、例えば合成樹脂または硬質樹脂により一体成形している。但し、糊３が消費された後に新たな糊３を装填することのできる詰め替えタイプのスティック糊１にあっては、糊充填部４３を交換用のリフィル（の少なくとも一部）としてボディ４４に対して脱着できることがある。
【００１９】
本実施形態における糊３は、角柱状、特に四角柱状をなす。従って、糊導出口４２に至る糊充填部４３の内周面４３１は、糊３の外周形状に合致するような角形筒状、特に四角筒状に形成してある。なお、この内周面４３１には、後述するレール４３３を突出させて設けている。糊充填部４３の先端の筒状部分４３２は、ボディ４４の先端よりも先方に突き出し、その先端に糊導出口４２が開口している。
【００２０】
ボディ４４は、糊充填部４３の先端筒状部分４３２以外の部分を抱持するもので、その外周４４１が糊３の外周の形状または糊充填部４３の内周４３１の形状に相似した角筒状、特に四角筒状をなしている。換言すれば、図７及び図８に示すように、糊３及び容器２が伸長する方向と平行な軸線と直交する面で切った横断面視において、ボディ４４の外側辺である四辺４４２が、糊充填部４３及び糊導出口４２の内側辺（さらには、糊３の外側辺）である四辺４２１と平行または略平行となっている。尤も、ボディ４４の外周４４１の隅角部、即ち辺４４２と辺４４２とが交わる四隅は丸面取りしてある。このボディ４４の外周４４１は、スティック糊１を使用して糊３を塗布しようとする使用者が把持することのできる把持部分として機能する。
【００２１】
糊充填部４３及びボディ４４の基端（または、後端、底端、下端）部には、糊充填空間４１を基端側から閉塞する底壁４５を一体成形している。底壁４５の中心部には、当該底壁４５を貫通する軸孔４５１を穿ってある。軸孔４５１は、後述する糊押出機構６に係わる。
【００２２】
本実施形態のスティック糊１の容器２の開閉機構５は、容器本体４の先端側に設けたキャップ取付体５１と、このキャップ取付体５１に外側から嵌合することで装着されて容器本体４の糊導出口４２を被覆するキャップ５２とを要素とする。
【００２３】
キャップ取付体５１は、容器本体４の外周４４１に接合しつつ、糊導出口４２を囲繞する先端筒状部分４３２の外周面よりも外側方に張り出した鍔状をなす。キャップ取付体５１は、ボディ４４の先端または糊充填部４３の先端筒状部分４３２の基端の近傍の部位に連接している。キャップ取付体５１は稠密であり、容器本体４との間に隙間は存在しない。キャップ取付体５１の外周面５１１は、円形状である。本実施形態では、キャップ取付体５１とボディ４４とを、例えば合成樹脂または硬質樹脂により一体成形する。同時に、キャップ取付体５１は糊充填部４３（の先端筒状部分４３２）とも一体化しているが、既に述べたような詰め替えタイプのスティック糊１にあっては、糊充填部４３とキャップ取付体５１とが分離することがあり得る。
【００２４】
キャップ取付体５１は、容器本体４の糊導出口４２よりも容器２の基端側に偏倚している。即ち、糊導出口４２は、キャップ取付体５１よりも先方に位置する。
【００２５】
また、容器本体４における、キャップ取付体５１から容器２の基端方向に偏倚した箇所、かつ把持部分４４１から容器２の先端方向に変位した箇所に、当たり部５３を設けている。当たり部５３は、閉止状態にてキャップ５２の周壁５２１の端面５２５が当接または極近接する部位である。キャップ取付体５１と当たり部５３との間には、軸線と平行または略平行に開いた間隙５３２が介在する。当たり部５３は、容器本体４を把持して糊３を塗布する使用者の母指または示指の指先が触れ得る把持部分４４１の先端領域に臨む。そして、当たり部５３は、把持部分４４１の外周面よりも外側方に張り出し、先端方向を向く面５３１が一周連続した円環状をなしている。
【００２６】
キャップ５２は、中空の円筒状をなす周壁５２１の先端部を頂版５２４により閉塞した形状をなしており、その周壁５２１の内周５２２をキャップ取付体５１の外周５１１に嵌合させるようにして、キャップ取付体５１に対し着脱自在に装着することができる。キャップ５２は、例えば合成樹脂または硬質樹脂により一体成形する。
【００２７】
スティック糊１を使用しないときには、図１、図４、図６ないし図８に示すように、キャップ５２をキャップ取付体５１に外嵌して装着、キャップ５２の内に容器本体４の先端筒状部分４３２及び糊導出口４２を収容し、キャップ５２によりこれらを被覆して外部から遮蔽する閉止状態とする。スティック糊１を使用するときには、図２及び図３に示すように、キャップ５２をキャップ取付体５１から脱離させ、容器本体４の先端筒状部分４３２及び糊導出口４２を露出させた開放状態とすればよいことは言うまでもない。頂版５２４の外周縁は、若干ながら周壁５２１の外周よりも径方向に沿って外側方に迫り出している。
【００２８】
キャップ取付体５１は、その外周５１１に軸線方向から見て円形状の嵌合部５１２を有している。より具体的には、円筒状または略円筒状の外周面５１１の所定部位から径方向に沿って外側方に突出し周方向に沿って一周連続したリブ５１２を成形しており、このリブ５１２が嵌合部としてキャップ５２の円筒状または略円筒状の内周面５２２の所定部位に密接することで、当該嵌合部５１２がキャップ５２の円形状の内周５２２に緊密に嵌合する。リブ５１２の断面の外縁は、糊３及び容器２が伸長する方向と平行な軸線と重なる面で切った縦断面視において、円弧状または楕円弧状をなす。
【００２９】
キャップ５２もまた、その内周５２２に軸線方向から見て円形状の嵌合５２３を有している。より具体的には、円筒状または略円筒状の内周面５２２の所定部位から径方向に沿って内側方に突出し周方向に沿って一周連続したリブ５２３を成形しており、このリブ５２３が嵌合部としてキャップ取付体５１の円筒状または略円筒状の外周面５１１の所定部位に密接することで、当該嵌合部５２３がキャップ取付体５１の円形状の外周５１１に緊密に嵌合することができる。リブ５２３の断面の外縁は、縦断面視において円弧状または楕円弧状をなす。
【００３０】
図１、図４、図６ないし図８に示す閉止状態では、キャップ５２のリブ５２３がキャップ取付体５１のリブ５１２よりも容器２の基端側に所在する。即ち、キャップ５２をキャップ取付体５１に装着する過程で、キャップ５２のリブ５２３がキャップ取付体５１に対し容器２の先端側から基端側に向かって相対的に変位し、キャップ取付体５１及び／またはキャップ５２の弾性変形を伴いながらキャップ取付体５１のリブ５１２を乗り越える。容器本体４の糊導出口４２は、これらのリブ５１２、５２３よりも先方に配されている。
【００３１】
キャップ５２を装着した閉止状態では、キャップ５２の周壁５２１の端面５２５が、当たり部５３の容器２の先端方向を向く面５３１に当接または極近接する。キャップ５２のリブ５２３は、キャップ５２の端縁部の内周面５２２、キャップ取付体５１の外周面５１１に面する位置から膨出している。キャップ取付体５１のリブ５１２は、キャップ取付体５１の外周面５１１、キャップ５２の端縁部の内周面５２２に面する位置から膨出している。また、閉止状態では、キャップ５２の周壁５２１の外周５２６と、当たり部５３の外周５３３とが、面一または略面一となる。
【００３２】
図３ないし図５に示すように、糊押出機構６は、容器本体４の底壁４５の軸孔４５１に挿通して糊充填部４３内の糊充填空間４１に侵入したねじ棒６１と、底壁４５により隔てられた糊充填部４３の外にあるねじ棒６１の基端部に固定した手動操作用のつまみ６２と、糊充填部４３内においてねじ棒６１に螺着したエレベータ６３とを備えている。つまみ６２の外周６２１は、把持部分となる容器本体４のボディ４４の外周４４１の形状に合致した角筒状、特に四角筒状をなす。ねじ棒６１の外周には、雄ねじ６１１を切ってある。
【００３３】
エレベータ６３は、容器２の先端側に向かって開口した有底の箱形をなし、糊充填部４３内の糊充填空間４１に充填される糊３を支持する。エレベータ６３の底の中心部には、ねじ棒６１の雄ねじ６１１に螺合する雌ねじ孔６３１を設けている。エレベータ６３の外周面６３２は、糊充填部４３の内周４３１の形状に合致するような角筒状、特に四角筒状に形成している。しかして、糊充填部４３の内周面４３１と、これに当接または極近接するエレベータ６３の外周面６３２とのうち一方に、糊３及び容器２の伸長方向即ち糊３の進退方向に沿って延伸するレール４３３を突出させて設け、他方に同方向に沿って延伸しレール４３３と係合する凹溝６３３を設けている。レール４３３と凹溝６３３との凹凸係合は、エレベータ６３が容器本体４に対して相対的に軸線回りに回動することを禁じながら、エレベータ６３が容器本体４に対して相対的に軸線と平行に移動することを案内する。
【００３４】
糊３を糊導出口４２から繰り出して使用するためには、使用者が、キャップ５２を取り外して糊導出口４２を露出させる開放状態とした上で、容器本体４の外部にあるつまみ６２を軸線回りに正回転させればよい。さすれば、つまみ６２とともにねじ軸が正回転し、これに螺合しているエレベータ６３が容器本体４の糊充填部４３内で糊導出口４２に接近する先端方向に移動し、エレベータ６３に支持された糊３が糊充填空間４１から糊導出口４２を通じて押し出される。
【００３５】
使用を終えて繰り出した糊３を糊導出口４２よりも没入させるためには、使用者が、つまみ６２を軸線回りに逆回転させればよい。さすれば、ねじ軸が逆回転し、エレベータ６３が糊充填部４３内で糊導出口４２から離反する基端方向に移動し、エレベータ６３に支持された糊３が糊充填空間４１内に引き込まれる。しかる後、キャップ５２を再び装着して糊導出口４２を被覆する閉止状態とする。
【００３６】
本実施形態では、内部に糊３が充填される糊充填空間４１を有するとともに先端に前記糊３を外部に導出させるための円形状でない糊導出口４２を有した容器本体４と、この容器本体４の糊充填空間４１が外部に連通するのを気密に遮断する閉止状態及び前記糊３を外部に導出可能な開放状態の何れかを選択的にとり得る開閉機構５とを具備するスティック糊１の容器２であって、前記開閉機構５が、前記容器本体４に連接して設けられ前記糊導出口４２よりも外側方に張り出す鍔状をなし隙間を内包しないキャップ取付体５１と、このキャップ取付体５１に外側から着脱可能に嵌合するキャップ５２とを備え、キャップ取付体５１の外側の円形状をなす嵌合部５１２にキャップ５２が嵌合するかまたはキャップ５２の内側の円形状をなす嵌合部５２３にキャップ取付体５１が嵌合するスティック糊１の容器２を構成した。
【００３７】
このようなものであれば、角形状をなす糊導出口４２から角柱状をなす糊３を繰り出して、四角形の用紙の角部等に無理なく糊３を美麗に塗布することが可能となる。糊充填部４３の先端筒状部分４３２及び糊導出口４２はキャップ取付筒５１よりも先方に位置しており、その視認性が良好であり、糊３を塗布する箇所を常に確認しながら作業することができる。
【００３８】
スティック糊１の非使用時には、キャップ５２をキャップ取付筒５１の外周５１１に嵌合させて装着することで、糊充填部４３の糊充填空間４１に充填された糊３が密封されるため、乾燥その他による糊３の品質及び性能の経時変化を防止または抑制することができる。特に、キャップ取付筒５１の嵌合部５１２及びキャップ５２の嵌合部５２３をそれぞれ真円または真円に近い円形状に成形しているので、図７及び図８に示すように、キャップ５２とキャップ取付筒５１とを全周に亘って均一に密着させることが可能となり、一部に隙間が生じて気密性が損なわれる不具合を回避できる。
【００３９】
総じて言えば、簡素な構造で閉止状態におけるキャップ５２の気密性を維持しながら、糊導出口４２の形状の自由度を高めることができ、糊３の乾燥に起因する縮小固化その他の劣化の問題を解決しつつ、用紙の縁や角の部分への糊３の塗布の作業性を向上させることができる。
【００４０】
上掲の特許文献１に開示されている既存のスティック糊の容器のように、キャップが外嵌するための薄肉筒状のキャップ取付筒を成形する必要がないことから、容器本体４をより軽量化でき、容器本体４を構成する樹脂材料の使用量も削減できる。加えて、万が一キャップ取付筒が破損した場合、閉止状態における気密性が低下する懸念が生じるが、本実施形態の容器２であればこのような問題を生起しない。特許文献１に開示されている容器では、容器本体とキャップ取付筒との間に容器の先端方向に開放した隙間が形成されており、閉止状態にてこの隙間が糊導出口４２を収容するキャップの内部空間に連通するので、隙間内の空気が糊に触れる（空気は、糊の乾燥、酸化等による縮小固化、劣化の原因となる）、または隙間内に糊の残渣が詰まることが想定され得る。だが、本実施形態の容器２であれば、そのような不利を招かない。
【００４１】
キャップ５２を容器本体４に装着した閉止状態では、前記キャップ取付体５１の円形状をなす嵌合部５１２が前記キャップ５２の円筒状をなす内周面５２２に密接する。従って、スティック糊１の非使用時において、糊導出口４２を被覆するキャップ５２の気密性を高く保つことができる。
【００４２】
前記容器本体４における前記キャップ取付体５１から先端とは反対側の基端方向に偏倚した箇所に、前記閉止状態にて前記キャップ５２の周壁５２１の端面５２５に当接または極近接する当たり部５３が、キャップ取付体５１とは間隙５３２を隔てて設けられている。より具体的には、前記キャップ５２の周壁５２１が円筒状をなす一方、前記容器本体４における前記糊３を塗布する操作を行う使用者の母指または示指の指先が触れ得る把持部分４４１の外周が横断面視において非円形状をなし、前記当たり部５３が、前記容器本体４における前記把持部分４４１から先端方向に偏倚した箇所にあって、把持部分４４１の外周（特に、外側辺４４２）よりも外側方に張り出し、その先端方向を向く面５３１が一周連続した円環状をなして前記キャップ５２の周壁５２１の端面５２５に当接または極近接する。これにより、キャップ５２を容器本体４に装着する際に、キャップ５２を容器本体４に対して適正に位置付けることができる。
【００４３】
さらには、横断面視において前記把持部分４４１の外側辺４４２が前記糊導出口４２の内側辺４２１と平行または略平行となっているので、使用者が糊導出口４２から繰り出した糊３の側辺の向きを糊３を塗布する対象の用紙の縁辺の向きと平行に揃える操作が容易となる。
【００４４】
前記キャップ取付体５１及び前記キャップ５２は、ともに樹脂成形品である。特に、キャップ取付体５１は、容器本体４に一体成形されている。前記キャップ取付体５１及び前記キャップ５２はそれぞれ円筒状をなしていることから、嵌合部たるリブ５１２、５２３を含めた成形がより容易となる。
【００４５】
なお、本発明は以上に詳述した実施形態に限られるものではない。図９ないし図１３に示す変形例は、当たり部５３の形状を上記実施形態におけるそれから変更したものである。上記実施形態の当たり部５３は、容器２の先端方向に向かって、一周連続した円環状の端面５３１を成形し、その面５３１を当たり面としてキャップ５２の周壁５２１の端面５２５の全域を当接または極近接させる構造であった。これに対し、図９ないし図１３に示す変形例の当たり部５３は、横断面視非円形状（特に、略方形状、四角筒状）をなす把持部分４４１の外周の隅角部（四隅）と重なる部位にのみ設けられており、容器４の先端方向を向く端面５３１は断続的であり一周連続していない。当該変形例の当たり部５３は、ちょうど容器２の先端から基端に向かって容器本体４の隅角部を部分円筒状に切り欠くようにして形成している。閉止状態において容器本体４に装着されるキャップ５２の周壁５２１の端面５２５は、軸線方向から見て容器本体４の隅角部と重なる部位に限り、当たり部５３の端面５３１に当接または極近接する。
【００４６】
閉止状態においてキャップ５２が外嵌するキャップ取付体５１またはその嵌合部５１２は、容器本体４の他の部分と比較して軟らかい樹脂材料を用いて二色成形するようにしてもよい。
【００４７】
糊導出口４２の形状は、正方形状には限定されず、三角形状や六角形状等の多角形状とすることが許される。その場合、糊導出口４２から導出される糊３が、三角柱状や六角柱状等の多角柱状をなすこととなる。
【００４８】
その他、各部の具体的構成は、本発明の趣旨を逸脱しない範囲で種々変形が可能である。
【符号の説明】
【００４９】
１…スティック糊
２…容器
３…糊
４…容器本体
４１…糊充填空間
４２…糊導出口
５…開閉機構
５１…キャップ取付体
５１２…嵌合部
５２…キャップ
５２１…周壁
５２２…内周面
５２５…嵌合部
５２６…端面
５３…当たり部
５３１…当たり面
５３２…間隙
【図１】
2020059179.tif 000003
【図２】
2020059179.tif 000004
【図３】
2020059179.tif 000005
【図４】
2020059179.tif 000006
【図５】
2020059179.tif 000007
【図６】
2020059179.tif 000008
【図７】
2020059179.tif 000009
【図８】
2020059179.tif 000010
【図９】
2020059179.tif 000011
【図１０】
2020059179.tif 000012
【図１１】
2020059179.tif 000013
【図１２】
2020059179.tif 000014
【図１３】
2020059179.tif 000015